(57)【要約】      （修正有）【課題】見栄えが悪化することを防止するとともに、着用者が腕を上に挙げたときに股下部分が突っ張らないツナギを提供する。【解決手段】身頃の側部と袖の下部とにわたり延びている第１のマチ材２１と、第１のマチ材と並行して、身頃の側部と袖の下部とにわたり延びている第２のマチ材２３とを有するツナギ１である。【選択図】図６
2014177718.tif 000002
【特許請求の範囲】
【請求項１】
身頃の側部と袖の下部とにわたり延びている第１のマチ材と、
前記第１のマチ材と並行して、前記身頃の側部と袖の下部とにわたり延びている第２のマチ材と、
を有することを特徴とするツナギ。
【請求項２】
請求項１に記載のツナギにおいて、
前記各マチ材が展開されている状態では、前記第１のマチ材の延伸方向に対する、前記第２のマチ材の延伸方向が逆になっていることを特徴とするツナギ。
【請求項３】
請求項１または請求項２に記載のツナギにおいて、
前記第２のマチ材は、この長手方向の中間部で、基端側マチ材と先端側マチ材とに分割されており、前記基端側マチ材の先端部と前記先端側マチ材の基端部とがお互いに重なっていることで、脇エアレーション構造が形成されていることを特徴とするツナギ。
【請求項４】
請求項１〜請求項３のいずれか１項に記載のツナギにおいて、
下衣部の後部上端部が伸縮するように構成されていることを特徴とするツナギ。
【発明の詳細な説明】
【技術分野】
【０００１】
本発明は、ツナギに係り、特に、マチ材を工夫して設けたことで従来のものよりも着用者の運動機能性が確保されているものに関する。
【背景技術】
【０００２】
従来、上着の背中とズボンの後身との後接続部と、後接続部の左右両端から上着前身とズボン前身との前接続部で、かつ脇腹部位よりも左右方向中央側部位にわたる前接続部とに伸縮性生地を縫着したツナギが知られている（たとえば特許文献１参照）。
【０００３】
また、従来、綿布、合成繊維布又はそれらの混紡布を主体として形成された繋ぎ服において、少なくとも襟部、袖ぐり部、腰上部を伸縮性を有する編み布を用いて、繋ぎ服に形成した放射線管理区域用被服が知られている（たとえば特許文献２参照）。
【０００４】
また、従来、導電糸を格子縞に織り込むか編み込むことによって比抵抗が乾燥状態で所定の値以下の導電性を持たせた布帛であって、この布帛を袖口からアームホールを通って身頃からズボンの下まで達する長さを有するようにした一連の帯状布帛として、順次、袖の下側、前後の身頃の間、およびズボンの両側に沿ってつなぎ状衣服に縫製し、袖口等で発生した静電気を帯状布帛を介してズボンの下まで伝達させて放電することにより、国際基準に適合するようにした制電衣服が知られている（たとえば特許文献３参照）。
【０００５】
また、従来、上着とズボンを繋いだ前開きのつなぎ服であって、少なくとも左右いずれか片側の肩部が開放される前身頃と、前記前身頃と接合される後身頃と、前記前身頃に連続して分割される襟と、左右一対の袖と、前記襟の分割された一対の端縁部とこれに連続する前記前身頃と前記後身頃の開放される各端縁部との間に、対向する各端縁部を突き合わせた状態で各端縁部よりも内側に両辺が取り付けられた線ファスナーと、線ファスナーに沿って施されたステッチとを備えたつなぎ服が知られている（たとえば特許文献４参照）。
【先行技術文献】
【特許文献】
【０００６】
【特許文献１】実開昭６３−８１８１４号公報
【特許文献２】実用新案登録第３０７１８２８号
【特許文献３】実用新案登録第３１３１６３９号
【特許文献４】実用新案登録第３１６５６６６号
【発明の概要】
【発明が解決しようとする課題】
【０００７】
上述した従来のいずれのツナギでも、ツナギ着用者の運動機能性はある程度確保されている。
【０００８】
しかし、従来のいずれのツナギでも、着用者が腕を上に挙げると（上肢を肩関節のところで上方に旋回させると）、ツナギの股下部分が上方に持ち上げられて突っ張り着用者の股間を圧迫してしまう。これにより、着用者の運動機能性の一部が欠落しまうという問題がある。
【０００９】
なお、ツナギの股下部分の突っ張りを無くすために、ツナギの股下部分を下方にシフトして着用者の股下とツナギの股下部分との間の間隙を大きくすることも考えられるが、これをすると、股下部分がダボつき着用者が作業等するときに他のものに引っ掛かる等してしまい、却って作業性が悪化するおそれがある。
【００１０】
また、股下部分を下方にシフトしたツナギでは、着用者が着用したときにだらしなく見える等して見栄えが悪化するという問題がある。
【００１１】
本発明は、上記問題点に鑑みてなされたものであり、見栄えが悪化することを防止するとともに、着用者が腕を上に挙げたときに股下部分が突っ張らないツナギを提供することを目的とする。
【課題を解決するための手段】
【００１２】
請求項１に記載の発明は、身頃の側部と袖の下部とにわたり延びている第１のマチ材と、前記第１のマチ材と並行して、前記身頃の側部と袖の下部とにわたり延びている第２のマチ材とを有するツナギである。
【００１３】
請求項２に記載の発明は、請求項１に記載のツナギにおいて、前記各マチ材が展開されている状態では、前記第１のマチ材の延伸方向に対する、前記第２のマチ材の延伸方向が逆になっているツナギである。
【００１４】
請求項３に記載の発明は、請求項１または請求項２に記載のツナギにおいて、前記第２のマチ材は、この長手方向の中間部で、基端側マチ材と先端側マチ材とに分割されており、前記基端側マチ材の先端部と前記先端側マチ材の基端部とがお互いに重なっていることで、脇エアレーション構造が形成されているツナギである。
【００１５】
請求項４に記載の発明は、請求項１〜請求項３のいずれか１項に記載のツナギにおいて、下衣部の後部上端部が伸縮するように構成されているツナギである。
【発明の効果】
【００１６】
本発明によれば、見栄えが悪化することを防止するとともに、着用者が腕を上に挙げたときに股下部分が突っ張らないツナギを提供することができるという効果を奏する。
【図面の簡単な説明】
【００１７】
【図１】本発明の実施形態に係るツナギの正面図である。
【図２】本発明の実施形態に係るツナギの背面図である。
【図３】本発明の実施形態に係るツナギを構成する身頃等の部材（主に前側の部材）の展開図である。
【図４】本発明の実施形態に係るツナギを構成する身頃等の部材（主に後側の部材）の展開図である。
【図５】本発明の実施形態に係るツナギを構成するマチ材（左側のマチ材）の展開図である。
【図６】本発明の実施形態に係るツナギを着用者が着て上肢を挙げた状態を示す図である。
【発明を実施するための形態】
【００１８】
本発明の実施形態に係るツナギ（ツナギ服）１は、図１、図２等で示すように、上衣部（上着部）３と下衣部（ズボン部）５とを備えて構成されている。上衣部３は身頃７と一対の袖（たとえば長袖）９（９Ｌ，９Ｒ）とを備えて構成されており、下衣部５は股上部（股上）１１と一対の筒状部（筒）１３とを備えて構成されている。上衣部３と下衣部５とは、帯状のベルト部１５を介してつながっている。
【００１９】
ツナギ１は、たとえば、機器の整備作業に使用される作業着であって、着用した場合に着用者の体には密着しない構成、すなわち、着用者の皮膚との間に若干の空間が存在する形態になっている。ただし、上衣部３のほぼ上半分は、重力等の作用により、たとえば下着を間にして下着を挟み込む態様で着用者の皮膚を押圧している場合がある。また、ツナギ１は、一部（腰部伸縮部材１７）を除き布帛で構成されている。
【００２０】
身頃（上衣部３のうちの身頃）７とは、上衣部３のうちで、人（ツナギ１の着用者）の体幹部（たとえば、肩部を含む胸部と臍部よりも上方に位置する腹部の部位）を覆う部位のことであり、概ね筒状になっている。そして、前側を前身頃１８（１８Ｌ，１８Ｒ）といい、背中側を後身頃１９という。袖（上衣部３のうちの左右の袖）９とは、上衣部３のうちで、人（ツナギ１の着用者）の左右の腕をそれぞれ覆う部位のことであり、概ね筒状になっており、身頃７の上部左右で身頃７から左右方向に突出している。身頃７の筒の内部と左右の袖９の筒の内部とは当然つながっている。
【００２１】
下衣部５は、上述したように、股上部１１と一対の筒状部１３とを備えて構成されており、２本に分かれた筒状部１３は股上部１１の下端から下方に延びている。
【００２２】
股上部１１は、着用者の、ウェスト部と臀部の下端との間の部位を覆うものである。筒状部１３は、着用者の、臀部の下端よりも下方の大腿部と下腿部とを覆うものである。
【００２３】
下衣部５は、長ズボンであって、上述したように着用した場合に着用者の体には密着しない構成、すなわち、着用者の皮膚との間に若干の空間が存在する形態になっている。ただし、股上部１１の特に後側の部位（臀部のところ）は、たとえば下着を間にして下着を挟み込む態様で着用者の皮膚を押圧している場合がある。
【００２４】
ツナギ１についてさらに説明すると、ツナギ１は、概ね左右対称に形成されており、第１のマチ材（前側マチ材）２１（２１Ｌ，２１Ｒ）と第２のマチ材（後側マチ材）２３（２３Ｌ，２３Ｒ）とを備えて構成されている。
【００２５】
第１のマチ材２１は、身頃（上側身頃）７の側部と袖９の下部とにわたり延びている。第２のマチ材２３は、第１のマチ材２１に接合されており、第１のマチ材２１と並行して、身頃７の側部と袖９の下部とにわたり延びている（図６等も参照のこと）。
【００２６】
身頃７と袖９との境界の下部およびこの近傍（ツナギ１の着用者の腋下のところ；脇下部位）で、お互いが接合された各マチ材２１，２３が立体形状になっており、各マチ材２１，２３の脇下部位に弛み２５が形成されている。
【００２７】
弛み２５は、着用者がツナギ１を着用して起立し上肢を水平方向に延ばしているとき、および、水平から下方に上肢を延ばしたときに形成されるようになっている。なお、図６で示すように、着用者が上肢を挙げると、弛み２５はほぼ無くなるようになっている。
【００２８】
弛み２５が存在して箇所では、着用者の肌とツナギ１の生地とは接触しておらず、着用者の肌とツナギ１の生地との間には、空間が存在している。また、弛み２５の量は、上肢を下に下げるにしたがって次第に大きくなる。弛み２５は、身頃７の側部と袖９の下部との境界およびこの境界の近傍と特に大きいのであるが、各マチ材２１，２３が設けられているツナギ１の部位でも、ツナギ１の他の部位に比べて弛みが出るようになっている（着用者がツナギ１を着用して起立し上肢を水平方向に延ばしているとき等に、ツナギ１の生地と着用者の皮膚との間の間隙が、ツナギ１の他の部位よりも大きくなるようになっている）。
【００２９】
さらに説明すると、各マチ材２１，２３は、ツナギ１のベルト部１５の上端から袖９の先端まで延びている。
【００３０】
また、ツナギ１を着用者が着用した場合、各マチ材２１，２３の幅方向（各マチ材２１，２３の長手方向に対して直交する方向）が、概ね前後方向になっており、第１のマチ材２１の幅方向の後端と第２のマチ材２３の幅方向の前端とがお互いに接合されており、第１のマチ材２１は前側に位置し、第２のマチ材２３は後側に位置している。
【００３１】
また、ツナギ１を着用者が着用した場合、各マチ材２１，２３は、この長手方向で、着用者の側腹部の下端から上方に向かって延び、着用者の脇の下のところを通り上肢の手首のところまで延びている。すなわち、各マチ材２１，２３は、着用者の側腹部の下端のところから始まり、側腹部のところを通り、側胸部のところを通り、脇の下のところを通り、上肢の下側のところを通り、前手根部のところまで延びている。ここで、長手方向における各マチ材２１，２３の一端（着用者の側腹部の下端のところに位置する端）を基端とし、他端（着用者の手根部のところに位置する端）を先端とする。
【００３２】
また、ツナギ１を着用者が着用した場合、各マチ材２１，２３の幅方向の中央が、着用者の前頭面（着用者の中心を含み前後方向に対して直交している平面）のところにくるようになっている。ツナギ１を着用者が着用した場合、第１のマチ材２１の基端の前端は、大腿三角と側腹部との境界よりもわずかに後側に位置し、第２のマチ材２３の基端の後端は、着用者の前頭面に対して、第１のマチ材２１の基端の前端とほぼ対称なところに位置している。
【００３３】
ここで、念のために、左側の各マチ材２１Ｌ，２３Ｌについて説明する。右側のマチ材２１Ｒ，２３Ｒは、左側のマチ材２１Ｌ，２３Ｌとは対称に形成されている。
【００３４】
ツナギ１を着用者が着用した場合、第１のマチ材（左前袖下マチ材）２１Ｌの幅方向および第２のマチ材（左後袖下マチ材）２３Ｌの幅方向が、概ね前後方向になっており、左前袖下マチ材２１Ｌの幅方向の後端と左後袖下マチ材２３Ｌの幅方向の前端とがお互いに接合されており、左前袖下マチ材２１Ｌは前側に位置し、左後袖下マチ材２３Ｌは後側に位置している。左前袖下マチ材２１Ｌと左後袖下マチ材２３Ｌとの接合箇所は、概ね前頭面のところに位置している。
【００３５】
また、ツナギ１を着用者が着用した場合、左前袖下マチ材２１Ｌおよび左後袖下マチ材２３Ｌは、この長手方向で、着用者の左の側腹部の下端から上方に向かって延び、着用者の左の脇の下のところを通り左の上肢の手首のところまで延びている。
【００３６】
また、ツナギ１を着用者が着用した場合、左前袖下マチ材２１Ｌの基端の前端は、左の大腿三角と左の側腹部との境界よりもわずかに後側に位置し、左後袖下マチ材２３Ｌの基端の後端は、着用者の前頭面に対して、左前袖下マチ材２１Ｌの基端の前端とほぼ対称なところに位置している。
【００３７】
各マチ材２１，２３（左前袖下マチ材２１Ｌ、左後袖下マチ材２３Ｌ）の幅は、基端から先端に向かうにしたがって次第に狭くなっている（図５等参照）。また、ツナギ１を着用者が着用した場合、袖９のところに位置する各マチ材２１，２３は、袖９の下側にところに位置している。すなわち、ツナギ１を着用者が着用し、起立して上肢を側方に水平に延ばした状態で、肩関節や上橈尺関節のところで着用者が上肢を旋回させても、各マチ材２１，２３は、袖９のところの下側に位置している。
【００３８】
また、各マチ材２１，２３（左前袖下マチ材２１Ｌ、左後袖下マチ材２３Ｌ）の長さ寸法（基端から先端に向かう方向の寸法）は、これに接合される左上前身頃１８Ｌ、後上身頃（後身頃）１９、左袖部材２７Ｌ（２７）の部位の長さ寸法と一致している。
【００３９】
すなわち、左前袖下マチ材２１Ｌの縁（幅方向の一方の側である前側の縁）のラインの長さは、左上前身頃１８Ｌの左端の縁のラインの長さと、左袖部材２７Ｌの下端（左前袖下マチ材２１Ｌに接合される前側の下端）の縁のラインの長さとの和と、ほぼ等しくなっている。
【００４０】
また、左後袖下マチ材２３Ｌの縁（幅方向の他方の側である後側の縁）のラインの長さは、後上身頃１９の左端の縁のラインの長さと、左袖部材２７Ｌの下端（左後袖下マチ材２３Ｌに接合される後側の下端）の縁のラインの長さとの和と、ほぼ等しくなっている。
【００４１】
また、各マチ材２１，２３が展開されている状態では（各マチ材２１，２３が素材から切り出されて平板状になっている状態を各マチ材２１，２３の厚さ方向の表側から見ると）、図３、図５等で示すうように、第１のマチ材２１の延伸方向に対する、第２のマチ材２３の延伸方向が逆になっている。
【００４２】
左前袖下マチ材２１Ｌ、左後袖下マチ材２３Ｌとを例に掲げて図５を参照しつつ説明する。なお、図５では、左後袖下マチ材２３Ｌが、左後袖下基端側マチ材２９Ｌ（２９）と左後袖下先端側マチ材３１Ｌ（３１）とに分かれているが、次の説明では、左後袖下基端側マチ材２９Ｌの上端（上端で水平方向に延びている直線状に部位）と、左後袖下先端側マチ材３１Ｌの下端（下端で水平方向に延びている直線状に部位）とがお互いに接合されているものとする。より精確に説明すると、左後袖下基端側マチ材２９Ｌの上端部と左後袖下先端側マチ材３１Ｌの下端部とはお互いがオーバーラップして（左後袖下先端側マチ材３１Ｌの下端が左後袖下基端側マチ材２９Ｌの上端よりも僅かに下方に位置して左後袖下先端側マチ材３１Ｌの下端部と左後袖下基端側マチ材２９Ｌの上端とがお互いに重なった態様で）接合されているものとする。上記接合がなされている状態でも、左後袖下マチ材２３Ｌ（左後袖下基端側マチ材２９Ｌ、左後袖下先端側マチ材３１Ｌ）の幅方向（図５の左右方向）の両端は、左後袖下基端側マチ材２９Ｌと左後袖下先端側マチ材３１Ｌとのつなぎ目で形態が急激に変化することなく、左前袖下マチ材２１Ｌと同様に滑らかに延びている。
【００４３】
図５で示すように、左前袖下マチ材２１Ｌの直線状の基端（上衣部３の下端を構成する基端）を水平方向に延伸させ、左後袖下マチ材２３Ｌの直線状の基端（上衣部３の下端を構成する基端）も水平方向に延伸させると、左前袖下マチ材２１Ｌは、右斜め上方に延びており、左後袖下マチ材２３Ｌは、左斜め上方に延びている。これにより、第１のマチ材（左前袖下マチ材）２１Ｌの延伸方向に対する、第２のマチ材（左後袖下マチ材）２３Ｌの延伸方向が逆になっている。
【００４４】
また、図５で示すように、左前袖下マチ材２１Ｌの直線状の基端を水平方向に延伸させると、左前袖下マチ材２１Ｌは、図５の左上側に凸な円弧状の湾曲をしている。すなわち、左前袖下マチ材２１Ｌは、基端側（図５の下端側）では、上方（図５の上側）への延伸量に対する、後方（図５の右側）への延伸量の割合が小さいが、先端側（図５の右斜め上端側）になるにしたがって、上記割合が次第に大きくなっている。
【００４５】
見方を変えると、左前袖下マチ材２１Ｌの直線状の基端を水平方向に延伸させたとき、左前袖下マチ材２１Ｌは、この長手方向で、左上前身頃１８Ｌに接合される箇所では（着用者の側腹部や側胸部のところでは）、右斜め上方に直線状に延びており、左上前身頃１８Ｌに接合される箇所と左袖９Ｌに接合される箇所の境界部で（着用者の脇下のところで）、湾曲して下側に僅かに折れ曲がり、この後先端側に向かい右斜め上方にほぼ直線状に延びている。
【００４６】
また、図５で示すように、左後袖下マチ材２３Ｌの直線状の基端を水平方向に延伸させると、左後袖下マチ材２３Ｌは、図５の右上側に凸な円弧状の湾曲をしている。すなわち、左後袖下マチ材２３Ｌは、基端側（図５の下端側）では、上方（図５の上側）への延伸量に対する、前方（図５の左側）への延伸量の割合が小さいが、先端側（図５の左斜め上端側）になるにしたがって、上記割合が次第に大きくなっている。
【００４７】
これも、見方を変えると、左後袖下マチ材２３Ｌの直線状の基端を水平方向に延伸させたとき、左後袖下マチ材２３Ｌは、この長手方向で、後身頃１９に接合される箇所では（着用者の側腹部や側胸部のところでは）、左斜め上方に直線状に延びており、後身頃１９に接合される箇所と左袖９Ｌに接合される箇所の境界部で（着用者の脇下のところで）、湾曲して下側に僅かに折れ曲がり、この後先端側に向かい右斜め上方にほぼ直線状に延びている。
【００４８】
これにより、第１のマチ材（左前袖下マチ材）２１Ｌの曲がり方向（たとえば湾曲方向）に対する、第２のマチ材（左後袖下マチ材）２３Ｌの曲がり方向（たとえば湾曲方向）が逆になっている。
【００４９】
また、第２のマチ材２３は、前述したように。この長手方向の中間部で、基端側マチ材（身頃７を形成する基端側マチ材；左後袖下基端側マチ材２９Ｌ、右後袖下基端側マチ材２９Ｒ）と先端側マチ材（袖９を形成する先端側マチ材；左後袖下先端側マチ材３１Ｌ、右後袖下先端側マチ材３１Ｒ）との左右で４つのマチ材に分割されている。
【００５０】
そして、基端側マチ材２９Ｌ（２９Ｒ）の先端部（長手方向の先端部；先端側マチ材３１Ｌ（３１Ｒ）側の部位）と先端側マチ材３１Ｌ（３１Ｒ）の基端部（長手方向の基端部；基端側マチ材２９Ｌ（２９Ｒ）側の部位）とがお互いに重なっていることで重合部３５が形成されて、脇エアレーション構造が形成されている（基端側マチ材２９Ｌ（２９Ｒ）の先端は、先端側マチ材３１Ｌ（３１Ｒ）に接合されていないし、先端側マチ材３１Ｌ（３１Ｒ）の基端は、基端側マチ材２９Ｌ（２９Ｒ）に接合されておらず、開口部３３が形成されている）。
【００５１】
また、上述したように、基端側マチ材２９Ｌ（２９Ｒ）の先端が先端側マチ材３１Ｌ（３１Ｒ）に接合されておらず先端側マチ材３１Ｌ（３１Ｒ）の基端が基端側マチ材２９Ｌ（２９Ｒ）に接合されていないことで（重合部３５での接合がされていないことで）、基端側マチ材と基端側マチ材とがお互いに重なっている部位は、筒状になっており、この筒がベントとして機能し、脇エアレーション構造が形成されている。
【００５２】
なお、上記説明では、第２のマチ材２３（２３Ｌ，２３Ｒ）を２つ（４つ）に分けているが、この分割をするこなく、第２のマチ材２３を第１のマチ材２１と同様に一体で形成してもよい。
【００５３】
また、上記説明では、マチ材を第１のマチ材２１と第２のマチ材２３とに分けているが、３つ以上の複数のマチ材にわけてもよい。この場合各マチ材は、２つになっている場合と同様にしてお互いが並行に延伸していることが望ましい。
【００５４】
また、ツナギ１では、下衣部５の後部上端部が伸縮するように構成されている。
【００５５】
下衣部５の後部上端部は、たとえばニットで構成された腰部伸縮部材（ニット等の腰部伸縮素材）１７で構成されている。腰部伸縮部材１７は矩形状に形成されており、左右対称とされている。腰部伸縮部材１７の上端（上部の辺）はベルト部１５に接合されている。また、腰部伸縮部材１７の下端（下部の辺）は、着用者の仙骨部の下端もしくは下端よりも僅かに上側の部位のところに位置している。腰部伸縮部材１７の幅（左右方向の寸法）は、仙骨部の幅の３倍程度かこれよりも僅かに大きくなっている。ただし、腰部伸縮部材１７は、着用者の前頭面よりも後側に設けられている。腰部伸縮部材１７は、腰部カバー部材３７で覆われている。矩形状の腰部カバー部材３７は左右方向に延びている複数の折れ線で山折と谷折りが交互になされていることで、腰部伸縮部材１７を覆っているにもかかわらず、腰部伸縮部材１７の伸縮（上下方向の伸縮）を阻害しないようになっている。
【００５６】
ツナギ１についてさらに詳しく説明する。ツナギ１の上衣部３は、上述したようにまた図３、図４で示すように、左上前身頃１８Ｌ、右上前身頃１８Ｒ、左袖部材２７Ｌ、右袖部材２７Ｒ、左前袖下マチ材２１Ｌ、右前袖下マチ材２１Ｒ、左後袖下マチ材２３Ｌ（左後袖下基端側マチ材２９Ｌ、左後袖下先端側マチ材３１Ｌ）、右後袖下マチ材２３Ｒ（右後袖下基端側マチ材２９Ｒ、右後袖下先端側マチ材３１Ｒ）、後身頃１９とを備えて構成されている。また、ベルト部１５はベルト部材３９で構成されている。
【００５７】
ツナギ１の下衣部５は、腰部伸縮部材１７、腰部カバー部材３７、左下前身頃４１Ｌ（４１）、右下前身頃４１Ｒ（４１）、左下後身頃４３Ｌ（４３）、右下後身頃４３Ｒ（４３）、左脇後側ヨーク４５Ｌ（４５）、右脇後側ヨーク４５Ｒ（４５）を備えて構成されている。
【００５８】
左上前身頃１８Ｌは、直線状もしくは円弧状等の線状の縁部５１と縁部５２と縁部５３と縁部５４と縁部５５とをこの順につなげてこれらの縁部で囲まれた形状に形成されている。
【００５９】
左袖部材２７Ｌは、直線状もしくは円弧状等の線状の縁部６１と縁部６２と縁部６３と縁部６４と縁部６５と縁部６６とをこの順につなげてこれらの縁部で囲まれた形状に形成されている。
【００６０】
左前袖下マチ材２１Ｌは、直線状もしくは円弧状等の線状の縁部７１と縁部７２と縁部７３と縁部７４と縁部７５と縁部７６とをこの順につなげてこれらの縁部で囲まれた形状に形成されている。
【００６１】
左後袖下基端側マチ材２９Ｌは、直線状もしくは円弧状等の線状の縁部８１と縁部８２と縁部８３と縁部８４とをこの順につなげてこれらの縁部で囲まれた形状に形成されている。
【００６２】
左後袖下先端側マチ材３１Ｌは、直線状もしくは円弧状等の線状の縁部９１と縁部９２と縁部９３と縁部９４と縁部９５とをこの順につなげてこれらの縁部で囲まれた形状に形成されている。
【００６３】
後身頃１９は、直線状もしくは円弧状等の線状の縁部１０１と縁部１０２と縁部１０３と縁部１０４と縁部１０５と縁部１０６と縁部１０７と縁部１０８とをこの順につなげてこれらの縁部で囲まれた形状に形成されている。
【００６４】
ベルト部材３９は、直線状の縁部１１１と縁部１１２と縁部１１３と縁部１１４と縁部１１５と縁部１１６と縁部１１７と縁部１１８と縁部１１９と縁部１２０と縁部１２１と縁部１２２と縁部１２３と縁部１２４と縁部１２５と縁部１２６とをこの順につなげてこれらの縁部で囲まれた形状に形成されている。
【００６５】
腰部伸縮部材１７は、直線状の縁部１３１と縁部１３２と縁部１３３と縁部１３４とをこの順につなげてこれらの縁部で囲まれた形状に形成されている。
【００６６】
腰部カバー部材３７は、直線状の縁部１４１と縁部１４２と縁部１４３と縁部１４４とをこの順につなげてこれらの縁部で囲まれた形状に形成されている。
【００６７】
左脇後側ヨーク４５Ｌは、直線状の縁部１５１と縁部１５２と縁部１５３と縁部１５４とをこの順につなげてこれらの縁部で囲まれた形状に形成されている。
【００６８】
左下前身頃４１Ｌは、直線状もしくは円弧状等の線状の縁部１６１と縁部１６２と縁部１６３と縁部１６４と縁部１６５と縁部１６６と縁部１６７とをこの順につなげてこれらの縁部で囲まれた形状に形成されている。
【００６９】
左下後身頃４３Ｌは、直線状もしくは円弧状等の線状の縁部１７１と縁部１７２と縁部１７３と縁部１７４と縁部１７５と縁部１７６と縁部１７７とをこの順につなげてこれらの縁部で囲まれた形状に形成されている。
【００７０】
右側の部材（右上前身頃１８Ｒ、右袖部材２７Ｒ、右前袖下マチ材２１Ｒ、右後袖下マチ材２３Ｒ、右脇後側ヨーク４５Ｒ、右下前身頃４１Ｒ、右下後身頃４３Ｒ）は、上述した右側の部材と対称に形成されている。
【００７１】
ツナギ１は、次に示す縁部を糸で接合（縫合）することで形成されている。ただし、以下、右側の部材の接合については省略する。また、記載順序は、接合順序を示すものではない。
【００７２】
左上前身頃１８Ｌの縁部５２には、線ファスナ（図示せずが）接合される。左上前身頃１８Ｌの縁部５４には、左前袖下マチ材２１Ｌの縁部７２が接合される。左上前身頃１８Ｌの縁部５５には、左袖部材２７Ｌの縁部６２が接合される。左上前身頃１８Ｌの縁部５３には、ベルト部材３９の縁部１１４が接合される。
【００７３】
左前袖下マチ材２１Ｌの縁部７１には、ベルト部材３９の縁部１１３が接合される。左前袖下マチ材２１Ｌの縁部７３には、左袖部材２７Ｌの縁部６３が接合される。左前袖下マチ材２１Ｌの縁部７５には、左後袖下先端側マチ材３１Ｌの縁部９２が接合される。左前袖下マチ材２１Ｌの縁部７６には、左後袖下基端側マチ材２９Ｌの縁部８２が接合される。
【００７４】
左後袖下基端側マチ材２９Ｌの縁部８１には、ベルト部材３９の縁部１１２が接合される。左後袖下基端側マチ材２９Ｌの縁部８４には、後上身頃１９の縁部１０６が接合される。
【００７５】
左後袖下先端側マチ材３１Ｌの縁部９４には、左袖部材２７Ｌの縁部６５が接合される。左後袖下先端側マチ材３１Ｌの縁部９５には、後上身頃１９の縁部１０７が接合される。
【００７６】
左袖部材２７Ｌの縁部６６には、後上身頃１９の縁部１０８が接合される。
【００７７】
後上身頃１９の縁部１０５には、ベルト部材３９の縁部１１１が接合される。
【００７８】
腰部カバー部材３７の縁部１４３と腰部伸縮部材１７の縁部１３１とは、ベルト部材３９の縁部１１９に接合される。
【００７９】
左脇後側ヨーク４５Ｌの縁部１５３は、ベルト部材３９の縁部１２０に接合される。左脇後側ヨーク４５Ｌの縁部１５４は、腰部カバー部材３７の縁部１４２と腰部伸縮部材１７の縁部１３２とに接合される。左脇後側ヨーク４５Ｌの縁部１５１は、左下後身頃４３Ｌの縁部１７１に接合される。左脇後側ヨーク４５Ｌの縁部１５２は、ポケット構成部材４７（図１参照）に接合される。
【００８０】
ベルト部材３９の縁部１２１は、ポケット構成部材４７（図１参照）に接合される。ベルト部材３９の縁部１２２は、左下前身頃４１Ｌの縁部１６７に接合される。
【００８１】
左下前身頃４１Ｌの縁部１６１には、線ファスナが接合される。左下前身頃４１Ｌの縁部１６２には、右下前身頃４１Ｒの縁部１６２が接合される。左下前身頃４１Ｌの縁部１６３には、左下後身頃４３Ｌの縁部１７４が接合される。左下前身頃４１Ｌの縁部１６５には、左下後身頃４３Ｌの縁部１７６が接合される。
【００８２】
腰部伸縮部材１７の縁部１３３と腰部カバー部材３７の縁部１４１とは、左下後身頃４３Ｌの縁部１７２に接合される。
【００８３】
左下後身頃４３Ｌの縁部１７３は、右下後身頃４３Ｒの縁部１７３に接合される。左下後身頃４３Ｌの縁部１７７は、ポケット構成部材４７に接合される。
【００８４】
ツナギ１によれば、身頃側部と袖下部とにわたり延びている第１のマチ材（前側マチ材）２１と、第１のマチ材２１と並行して、身頃（上側身頃）側部と袖下部とにわたり延びている第２のマチ材（後側マチ材）２３とを備えているので、お互いが接合された各マチ材２１，２３を、身頃側部と袖下部との境界およびこの境界の近傍で立体形状にし、各マチ材２１，２３の脇下部位に弛みを形成することができる。そして、着用者が腕を上に挙げたときに股下部分が突っ張らず、見栄えを良くすることができる。
【００８５】
すなわち、各マチ材２１，２３の脇下部位に弛み２５を形成することで、各マチ材２１，２３の脇下部位と着用者の脇下との間の間隙を大きくすることができる。そしてこの間隙により、着用者が腕を上に挙げたときツナギ１の股下部分が上方に移動する量を小さくすることができ、股下部分の突っ張りをほぼ無くすことができる。
【００８６】
また、ツナギ１の股下部分を下方にシフトして着用者の股下とツナギの股下部分との間の間隙を大きくすることをしていないので、股下部分がダボついて作業性が悪化することがない。また、股下部分を下方にシフトしていないので、着用者が着用したときにだらしなく見える等して見栄えが悪化することが防止される。
【００８７】
また、ツナギ１によれば、各マチ材２１，２３が展開されている状態で、第１のマチ材２１の延伸方向に対する、第２のマチ材２３の延伸方向が逆になっているので、各マチ材２１，２３の脇下部位の弛みを、ツナギ１全体の形態に大きな変化を与えることなく（従来の一般的なツナギとの見た目の差異を発生させることなく）、容易に形成することができる。
【００８８】
また、ツナギ１によれば、第２のマチ材２３が、この長手方向の中間部で、基端側マチ材２９Ｌ（２９Ｒ）と先端側マチ材３１Ｌ（３１Ｒ）との２つのマチ材に分割されており、基端側マチ材２９Ｌ（２９Ｒ）の先端部と先端側マチ材３１Ｌ（３１Ｒ）の基端部とがお互いに重なっていることで、脇エアレーション構造が形成されているので、着用者の脇下の熱がこもりにくくなっている。
【００８９】
また、基端側マチ材２９Ｌ（２９Ｒ）の先端部と先端側マチ材３１Ｌ（３１Ｒ）の基端部とがお互いに重なっているだけで接合されていないので、着用者が上肢を肩関節のところで前側（特に前側上方）に曲げるとき、基端側マチ材２９Ｌ（２９Ｒ）の先端部と先端側マチ材３１Ｌ（３１Ｒ）の基端部とのところで、第２のマチ材がこの長手方向に僅かに延びやすくなっており、着用者が上肢を肩関節のところで前側に曲げての作業がしやすくなっている。
【００９０】
また、ツナギ１によれば、下衣部５の後部上端部が伸縮するように構成されているので、着用者が腰を前にかがめやすくなっているとともに、腰を前にかがめて上肢を下方に延ばして、床上の荷物を持ち上げるきに、ツナギのつっぱりが無くなっている。また、しゃがんで腕を上に挙げる作業が多い航空機等の整備作業がしやすくなっている。
【００９１】
ツナギ１において、各マチ材２１，２３の長さ寸法（基端から先端に向かう方向の寸法）を、これに接合される前身頃１８Ｌ（１８Ｒ）、後身頃１９、袖部材２７Ｌ（２７Ｒ）の部位の長さ寸法より長くしてもよい。
【００９２】
すなわち、前袖下マチ材２１Ｌ（２１Ｒ）の縁（幅方向の一方の側である前側の縁）のラインの長さが、上前身頃１８Ｌ（１８Ｒ）の左端（右端）の縁のラインの長さと、袖部材２７Ｌ（２７Ｒ）の下端（左前袖下マチ材に接合される前側の下端）の縁のラインの長さとの和より、若干長くなっていてもよい。
【００９３】
また、後袖下マチ材２３Ｌ（２３Ｒ）の縁（幅方向の他方の側である後側の縁）のラインの長さが、後身頃１９の左端の縁のラインの長さと、袖部材２７Ｌ（２７Ｒ）の下端（左後袖下マチ材に接合される後側の下端）の縁のラインの長さとの和より、若干長くなっていてもよい。
【００９４】
このように構成すると、お互いに接合される各ラインの長さが異なるので、イセコミにより、お互いを縫い合わせるものとする。
【００９５】
そして、着用者の脇の下等のところに一層大きな弛みを持たせ、ツナギ１の着用者が腕を挙げたときに、ツナギ１の股下部分が突っ張って着用者の股間を圧迫する事態の発生を一層確実に回避するようにしてもよい。
【００９６】
なお、上記説明では、ツナギを例に掲げて説明したが、上衣部３のみを備えた構成としてもよい。すなわち、ベルト部１５から下の構成を削除した上衣としてもよい。
【符号の説明】
【００９７】
１  ツナギ
５  下衣部
７  身頃
９  袖
２１  第１のマチ材
２３  第２のマチ材
２９  基端側マチ材
３１  先端側マチ材
【図１】
2014177718.tif 000003
【図２】
2014177718.tif 000004
【図３】
2014177718.tif 000005
【図４】
2014177718.tif 000006
【図５】
2014177718.tif 000007
【図６】
2014177718.tif 000008